(57)【特許請求の範囲】
【請求項１】
エレベーターの乗りかご内の乗客に情報を表示するエレベーターの情報表示システムにおいて、
前記情報表示システムは、前記乗りかご内に設けられ、前記情報を表示する表示装置と、前記乗りかご内に設けられたカメラと、前記表示装置および前記カメラを制御する制御装置と、を備え、
前記制御装置は、複数種類の情報を記憶する記憶部と、前記乗客の出発階から目的階までの走行時間を判定する走行時間判定部と、前記カメラで取得された前記乗りかご内の画像から前記乗客と前記表示装置との間の距離を判定する乗客乗車位置判定部と、を有し、
前記走行時間判定部で得られた前記走行時間および前記乗客乗車位置判定部で得られた前記距離に基づいて、前記乗客に表示する情報を前記記憶部から選択し、前記表示装置に表示し、
前記記憶部に記憶された前記情報は、文章及び動画のうちの少なくとも１つを含むものであり、前記文章の長さ、前記動画の長さまたは前記文章を構成する文字の大きさによって複数種類に分類されており、
前記制御装置は、前記走行時間に基づいて前記表示装置に表示する前記文章の長さまたは前記動画の長さを決定し、前記距離に基づいて前記表示装置に表示する前記文字の大きさを決定し、前記決定された文章または動画の長さと文字の大きさを有する情報を、前記記憶部に記憶されている複数種類の情報から選択して表示し、
前記出発階から前記目的階までの間に他の乗客が前記乗りかごに入ってきた場合、前記走行時間判定部によって判定された前記走行時間をキャンセルし、前記情報の中から文章または動画が最も短い情報を選択して前記表示装置に表示することを特徴とするエレベーターの情報表示システム。
【請求項２】
請求項１記載のエレベーターの情報表示システムにおいて、
前記カメラは、ステレオカメラからなり、前記カメラと前記乗客との距離を計測することが可能な構成を有することを特徴とするエレベーターの情報表示システム。
【請求項３】
請求項１または２記載のエレベーターの情報表示システムにおいて、
前記制御装置は、前記乗りかご内に複数の乗客がいる場合に、前記表示装置に最も近い乗客と前記表示装置との間の距離に基づいて前記文字の大きさを決定することを特徴とするエレベーターの情報表示システム。
【請求項４】
エレベーターの乗りかご内に設けられた表示装置によって乗客に情報を表示するエレベーターの情報表示方法において、
前記乗りかご内の乗客の出発階から目的階までの走行時間を判定するとともに、前記乗りかご内に設けられたカメラによって前記乗客と前記表示装置との距離を判定し、
文章及び動画のうちの少なくとも１つを含み、前記文章の長さ、前記動画の長さまたは前記文章を構成する文字の大きさによって複数種類に分類された情報の中から、前記走行時間に基づいて前記表示装置に表示する前記文章の長さまたは前記動画の長さを決定し、前記距離に基づいて前記表示装置に表示する前記文字の大きさを決定し、前記決定された文章または動画の長さと文字の大きさを有する情報を選択して表示装置に表示し、
前記出発階から前記目的階までの間に他の乗客が前記乗りかごに入ってきた場合、判定された前記走行時間をキャンセルし、前記情報の中から文章または動画が最も短い情報を選択して前記表示装置に表示することを特徴とするエレベーターの情報表示方法。
【発明の詳細な説明】
【技術分野】
【０００１】
本発明は、エレベーターの情報表示装置およびエレベーターの情報表示方法に関する。
【背景技術】
【０００２】
近年、エレベーターは、昇降動作により乗客を目的階へ運搬する機能のみならず、昇降動作を行っている間に乗客にかご内に設置した液晶画面にニュース情報や天気情報といったコンテンツを表示して提供する広告媒体としての機能も備えている。
【０００３】
しかし、乗客の乗車時間が短い場合や乗客の客層（例えば、高齢者など、情報を読み取るためにより長い時間が必要な乗客）によってはエレベーター乗車中に乗客が情報を読み終わらないという課題があった。
【０００４】
そこで、エレベーターの運行状態とエレベーターを利用する乗客の客層に合わせたコンテンツ表示を行い、表示された情報を乗客が読み終わらないうちにエレベーターが到着することにより発生し得る乗客の不快感を解消可能なエレベーターの情報表示装置及び情報表示方法が提案されている。
【０００５】
例えば、特許文献１にはエレベーターの乗りかごに設けたかご内表示装置に複数のコンテンツを連続して表示する情報表示方法において、上記複数のコンテンツを含む全数のコンテンツにそれぞれ対応し、且つ、エレベーターの設置された建物で当該エレベーターの利用想定者であるユーザー属性（エレベーターの設置された建物環境においてエレベーターを利用する乗客の客層）毎に各コンテンツを読了する読了時間を設定し、ユーザーの操作によるエレベーターの出発階と到着階の情報を基にエレベーターの走行時間を演算し、該当するユーザー属性に対応して設定された各コンテンツ毎の読了時間と表示するコンテンツの個数との積である総読了時間と、上記エレベーターの走行時間と、が同一であり、または、上記総読了時間が上記エレベーターの走行時間よりも短くなるように、全数のコンテンツの内から複数のコンテンツを選択して上記かご内表示装置に表示することを特徴とするエレベーターの情報表示方法が開示されている。
【先行技術文献】
【特許文献】
【０００６】
【特許文献１】特開２０１５‐９９７４号公報
【発明の概要】
【発明が解決しようとする課題】
【０００７】
上述した特許文献１に記載の技術では、予めエレベーターを設置した建物毎にエレベーターを利用するユーザー属性毎の各コンテンツを読了する時間を設定する必要がある。その為、乗客が登録されたユーザー属性と一致していない場合には、表示された情報を乗客が読みきれない可能性がある。また、エレベーターのかご内に設置される表示装置は小型のものが多く、乗客が登録されたユーザー属性と一致していた場合でも、乗客の乗車位置によっては文字が見えづらく、読了するまでにより長い時間を要する可能性がある。
【０００８】
本発明の目的は、上記事情に鑑み、乗客の客層の登録が不要で、かつ、乗客の乗りかご内での乗車位置にかかわらず、表示装置に表示された情報を乗客が乗りかごに乗車中に読みきることが可能なエレベーターの情報表示システムおよびエレベーターの情報表示方法を提供することを目的とする。
【課題を解決するための手段】
【０００９】
本発明は、上記目的を達成するため、エレベーターの乗りかご内の乗客に情報を表示するエレベーターの情報表示システムにおいて、上記情報表示システムは、乗りかご内に設けられ、情報を表示する表示装置と、乗りかご内に設けられたカメラと、表示装置およびカメラを制御する制御装置と、を備え、上記制御装置は、複数種類の情報を記憶する記憶部と、乗客の出発階から目的階までの走行時間を判定する走行時間判定部と、カメラで取得された乗りかご内の画像から乗客と表示装置との間の距離を判定する乗客乗車位置判定部と、を有し、上記走行時間判定部で得られた走行時間および上記乗客乗車位置判定部で得られた距離に基づいて、乗客に表示する情報を上記記憶部から選択し、上記表示装置に表示し、上記記憶部に記憶された上記情報は、文章及び動画のうちの少なくとも１つを含むものであり、上記文章の長さ、上記動画の長さまたは上記文章を構成する文字の大きさによって複数種類に分類されており、上記制御装置は、上記走行時間に基づいて上記表示装置に表示する上記文章の長さまたは上記動画の長さを決定し、上記距離に基づいて上記表示装置に表示する上記文字の大きさを決定し、上記決定された文章または動画の長さと文字の大きさを有する情報を、上記記憶部に記憶されている複数種類の情報から選択して表示し、上記出発階から上記目的階までの間に他の乗客が上記乗りかごに入ってきた場合、上記走行時間判定部によって判定された上記走行時間をキャンセルし、上記情報の中から文章または動画が最も短い情報を選択して上記表示装置に表示することを特徴とするエレベーターの情報表示システムを提供する。
【００１０】
また、本発明は、上記目的を達成するため、エレベーターの乗りかご内に設けられた表示装置によって乗客に情報を表示するエレベーターの情報表示方法において、乗りかご内の乗客の出発階から目的階までの走行時間を判定するとともに、乗りかご内に設けられたカメラによって乗客と表示装置との距離を判定し、文章及び動画のうちの少なくとも１つを含み、上記文章の長さ、上記動画の長さまたは上記文章を構成する文字の大きさによって複数種類に分類された情報の中から、上記走行時間に基づいて上記表示装置に表示する上記文章の長さまたは上記動画の長さを決定し、上記距離に基づいて上記表示装置に表示する上記文字の大きさを決定し、上記決定された文章または動画の長さと文字の大きさを有する情報を選択して表示装置に表示し、上記出発階から上記目的階までの間に他の乗客が上記乗りかごに入ってきた場合、判定された上記走行時間をキャンセルし、上記情報の中から文章または動画が最も短い情報を選択して上記表示装置に表示することを特徴とするエレベーターの情報表示方法を提供する。
【発明の効果】
【００１１】
本発明によれば、乗客の客層の登録が不要で、かつ、乗客の乗りかご内での乗車位置にかかわらず、表示装置に表示された情報を乗客が乗りかごに乗車中に読みきることが可能なエレベーターの情報表示システムおよびエレベーターの情報表示方法を提供することができる。
【００１２】
上記した以外の課題、構成および効果は、以下の実施形態の説明により明らかにされる。
【図面の簡単な説明】
【００１３】
【図１】本発明に係るエレベーターの情報表示システムを含むエレベーター装置の一例を示す模式図である。
【図２】本発明に係るエレベーターの情報表示システムの一例を示すブロック図である。
【図３】本発明に係る情報表示装置で表示するコンテンツの種類および表示条件を示す図である。
【図４】本発明に係るエレベーターの情報表示システムの動作の一例を示すフローチャートである。
【図５】本発明に係るエレベーターの情報表示システムの動作の他の一例を示すフローチャートである。
【発明を実施するための形態】
【００１４】
以下に、本発明のエレベーターの情報表示システムおよびエレベーターの情報表示方法の実施例について、図面を参照して詳細に説明する。
【実施例１】
【００１５】
図１は本発明に係るエレベーターの情報表示システムを含むエレベーター装置の一例を示す模式図である。図１において、エレベーター装置１００は、昇降路１、エレベーターの乗客（利用者）２７が乗車する乗りかご１１、釣合い錘６、昇降路１の任意の位置に設置されるモーター７、モーター７に巻きかけられ、乗りかご１１と釣合い錘６を懸架する主ロープ５、エレベーターの運行を制御するエレベーター運転制御装置２を有する。
【００１６】
図１において、昇降路１は４階床用であって、１階から４階の各乗り場には乗り場ドア１２（１２ａ〜１２ｄ）が設置されている。乗りかご１１は、モーター７を正逆転させることで昇降駆動され、行き先階に応じた各階の着床レベル（停止位置）１４（１４ａ〜１４ｄ）で停止し、乗りかごドア１０と着床した階の乗り場ドア１２（１２ａ〜１２ｄ）が開く。乗りかご１１の昇降駆動は、乗りかご１１内のかご呼び２６（図２に示す）で行き先階を登録するか、各階の乗り場に設けられた乗り場呼び１３（１３ａ〜１３ｄ）で乗りかご１１を呼び寄せることで行われる。
【００１７】
乗りかご１１内には運転盤８およびかご内カメラ（以下、「カメラ」と称する。）９が設置されており、運転盤８にはかご内表示装置（以下、「表示装置」と称する。）２５およびかご呼び２６が設置されている（いずれも図２に示す。）。表示装置２５は、乗りかごが位置する階を表示する機能および後述する情報（以下、「コンテンツ」と称する。）を表示する機能を有するものである。表示装置２５はカメラ９と接続されており、カメラ９は取得した画像から乗客の立ち位置（乗車位置）の検出を行う。また、乗りかご１１の上部には制御装置４が設けられており、運転盤８およびカメラ９を制御する。制御装置４および運転盤８は、テールコード３を介してエレベーター運転制御装置２に接続されている。本実施例において、表示装置２５を含む運転盤８、カメラ９および制御装置４を、情報表示システム３０と称する。
【００１８】
図２は本発明に係るエレベーターの情報表示システムの一例を示すブロック図である。制御装置４は、走行時間判定部１８、記憶部１９、コンテンツ選択部２１、文字サイズ判定部２２、乗客乗車位置判定部２３および表示装置表示指令部２４を有する。
【００１９】
コンテンツ提供装置１５は、例えばコンテンツ提供会社の配信サーバーであり、コンテンツ取得装置１６は、エレベーター装置１００のメーカーが有するコンテンツ受信サーバーである。コンテンツ提供装置１５は、コンテンツ取得装置１６にニュース情報や天気情報といったコンテンツ２０を動画と文章で配信する。コンテンツ取得装置１６はコンテンツ提供装置１５からコンテンツ２０の取得要求を行い、コンテンツ２０を取得し、昇降路１内に設けられる通信装置１７へ送信する。通信装置１７は、コンテンツ２０をコンテンツ取得装置１６から受信し、制御装置４の記憶部１９へ送信する。記憶部１９は、複数種類のコンテンツ２０を格納する。コンテンツ２０の種類については、追って詳述する。
【００２０】
走行時間判定部１８は、乗客２７が乗り場呼び１３で乗りかご１１を呼び寄せ、乗りかご１１に乗車し、乗りかご１１内のかご呼び２６で目的階を登録した後に、エレベーター運転制御装置２に登録された乗り場呼び１３とかご呼び２６の情報を参照し、乗り場呼び１３で登録された出発階からかご呼び２６で登録された目的階に到着するまでの乗りかご１１の走行時間を演算し、出発階から目的階到着までの時間が「短い」か、出発階から目的階到着までの時間が「長い」かを判定し、結果をコンテンツ選択部２１へ送信する。
【００２１】
乗客乗車位置判定部２３は、乗りかご１１内に設置されたカメラ９によって取得された画像に基づき、表示装置２５と乗客２７との距離を演算して距離の長短を判定し、結果を文字サイズ判定部２２に送信する。カメラ９は、３次元空間内の乗客の立ち位置を把握することができるステレオカメラを用いることが好ましい。ステレオカメラを用いることによって、カメラと乗客との距離を計測し、この計測値に基づいて表示装置２５と乗客２７との距離を演算算出することができる。
【００２２】
文字サイズ判定部２２は、乗客乗車位置判定手段２３によって、乗客２７と表示装置２５の距離が「長い」（遠い）と判断した場合、「文字サイズを大きくする」と判断し、乗客２７と表示装置２５の距離が「短い」（近い）と判断した場合、「文字サイズを小さくする」と判断し、結果をコンテンツ選択部２１に送信する。
【００２３】
コンテンツ選択部２１は、走行時間判定部１８の判定結果と、文字サイズ判定部２２の判定結果に基づき、記憶部１９に記憶されている複数種類のコンテンツの中から表示装置２５に表示する最適なコンテンツ２０を選択する。以下に、コンテンツ２０の種類について詳述する。図３は、本発明に係る情報表示システムで表示するコンテンツの種類および表示条件を示す図である。本実施例では、コンテンツとしてコンテンツＡ〜Ｄを有する。コンテンツは、文章及び動画のうちの少なくとも１つを含むものであり、ＡからＤの順に文章の長さが長くなる。コンテンツＡおよびＢには動画は含まれておらず、文章の長さは比較的短いため、乗りかご１１の走行時間（すなわち、乗客２７の乗車時間）が比較的短い場合に適した情報である。一方、コンテンツＣおよびＤには動画が含まれ、文章の長さは比較的長いため、乗りかご１１の走行時間（乗客２７の乗車時間）が比較的長い場合に適した情報である。走行時間判定部１８によって判定された走行時間の長短によって、コンテンツＡ〜Ｄのいずれかを選択する。
【００２４】
また、コンテンツＡ〜Ｄは、文章を構成する文字の大きさ（以下、「文字サイズ」と称する。）がそれぞれ異なっている。コンテンツＡおよびＣは文字サイズが「大」であり、表示装置２５と乗客２７との間の距離が比較的長い（遠い）場合に適した情報である。一方、コンテンツＢおよびＤは文字サイズが「小」であり、表示装置２５と乗客２７との間の距離が比較的短い（近い）場合に適した情報である。乗客乗車位置判定部２３によって判定された距離の長短によって、コンテンツＡ〜Ｄのいずれかを選択する。
【００２５】
例えば、コンテンツ選択部２１は、走行時間判定部１８において、出発階から目的階到着までの時間が「短い」と判定され、かつ、文字サイズ判定部２２において、「文字サイズを大きくする」と判定された場合は、コンテンツＡを選択する。走行時間判定部１８において、出発階から目的階到着までの時間が「やや短い」と判定され、かつ、文字サイズ判定部２２の判定結果が「文字サイズを小さくする」と判定された場合は、コンテンツＢを選択する。走行時間判定部１８において、出発階から目的階到着までの時間が「やや長い」と判定され、かつ、文字サイズ判定部２２の判定結果が「文字サイズを大きくする」と判定された場合は、コンテンツＣを選択する。走行時間判定部１８において、出発階から目的階到着までの時間が「長い」と判定され、かつ、文字サイズ判定部２２の判定結果が「文字サイズを小さくする」と判定された場合は、コンテンツＤを選択し、選択結果を表示装置表示指令部２４に送信する。表示装置表示指令部２４は、コンテンツ選択部２１から送信されたコンテンツを表示装置２５に表示する。
【００２６】
このように、乗りかご１１の走行時間および表示装置２５と乗客２７との距離の２つの情報に基づいて最適なコンテンツを選択し、表示装置２５に表示することによって、乗客２７の客層の登録が不要で、かつ、乗りかご１１内での乗車位置にかかわらず、乗客２７が乗りかご１１に乗車中に読み切ることが可能な情報を提供することができる。したがって、本発明に係る情報表示システムによれば、乗客の利便性に配慮したサービス性の高いエレベーター装置を提供することが可能となる。
【００２７】
本発明に係るエレベーターの情報表示システムは、表示装置２５を有する既存のエレベーター装置の場合であれば、カメラ９および制御装置４を設置するだけで構成することができる。また、表示装置２５を有しない既存のエレベーター装置の場合であっても、表示装置２５、カメラ９および制御装置４を設置するだけで構成することができる。いずれの場合であっても、既存のエレベーター装置に対して、エレベーターの運転を制御するエレベーター運転制御装置２に手を加える必要無く、簡単に本発明に係るシステムを設置することができる。
【００２８】
次に、上述したエレベーターの情報表示システムの動作手順について説明する。図４は本発明に係るエレベーターの情報表示システムの動作の一例を示すフローチャートである。乗りかご１１の停止状態をスタートとし（Ｓ１０１）、
Ｓ１０２において、乗客２７が乗りかご１１に乗車した場合（図中「ＹＥＳ」）、Ｓ１０３に進む。また、乗客２７が乗りかご１１に乗車しなかった場合（図中「ＮＯ」）、Ｓ１０２の前に戻る。
【００２９】
Ｓ１０３において、乗り場ドア１２及び乗りかごドア１０が閉じた場合（図中「ＹＥＳ」）、乗客乗車位置判定部２３は、カメラ９によって取得した画像に基づいて乗客２７の位置を検出し、乗客２７の位置と表示装置２５との距離を判定し（Ｓ１０４）、結果を文字サイズ判定部２２に送信する。一方、Ｓ１０３において乗り場ドア１２及び乗りかごドア１０が開いている場合（図中「ＮＯ」）、Ｓ１０２の前に戻る。
【００３０】
Ｓ１０５において、文字サイズ判定部２２は、乗客乗車位置判定部２３の判定結果に応じて表示装置２５に表示するコンテンツ２０の文字サイズを決定し、結果をコンテンツ選択部２１に送信し、Ｓ１０６に進む。例えば、乗客乗車位置判定部２３の判定結果が、乗客２７と表示装置２５との距離が長いと判定した場合、「文字サイズを大きくする」と決定し、距離が短いと判定した場合、「文字サイズを小さくする」と決定する。
【００３１】
Ｓ１０６において、走行時間判定部１８は、エレベーター運転制御装置２に登録された呼び情報（乗り場呼び１３とかご呼び２６の情報）を参照し、出発階から目的階到着までの乗りかご１１の走行時間を演算し、出発階から目的階到着までの時間の長短を判定し（Ｓ１０７）、結果をコンテンツ選択部２１へ送信し、Ｓ１０８に進む。
【００３２】
Ｓ１０８において、コンテンツ選択部２１は、走行時間判定部１８の判定結果と、文字サイズ判定部２２の判定結果から、表示装置２５に表示するコンテンツ２０を選択し、結果を表示装置表示指令部２４に送信し、Ｓ１０９に進む。例えば、出発階から目的階到着までの時間が「短い」、かつ、文字サイズ判定部２２の判定結果が「文字サイズを大きくする」と判定された場合は、短い文章のみのコンテンツで、かつ文字サイズの大きいコンテンツを選択する。
【００３３】
Ｓ１０９において、乗りかご１１が走行を開始した場合（図中「ＹＥＳ」）、表示装置表示指令部２４は、コンテンツ選択部２１から送信されたコンテンツ２０を表示装置２５に表示するよう指令する（Ｓ１１０）。また、乗りかご１１が走行開始していない場合（図中「ＮＯ」）、Ｓ１０９の前に戻る。
【００３４】
Ｓ１１１において、乗りかご１１が目的階に到着した場合（図中「ＹＥＳ」）、コンテンツ２０の表示が終了し、Ｓ１０１の前に戻る。また、乗りかご１１が目的階に向けて走行中の場合（図中「ＮＯ」）、Ｓ１１０の前に戻る。
【実施例２】
【００３５】
本実施例では、乗りかご内に乗客２７が複数人いる場合のエレベーターの情報表示システムの動作手順について説明する。同じ出発階において、乗りかご１１内に複数の乗客２７が乗車した場合、乗客乗車位置判定部２３において、表示装置２５に最も近いと判断された乗客２７と表示装置２５との距離に基づいて、文字サイズ判定部２２が文字サイズを決定してもよい。このようにすることで、表示装置２５を確実に見ることができる乗客２７に対して、乗車中に読みきることが可能なコンテンツを提供することができる。
【００３６】
また、カメラ９が取得した画像に基づき、乗りかご１１内において、表示装置２５に近い乗客よりも、表示装置から遠い乗客の方が身長が高く、遠い乗客が表示装置２５を読み取ることが可能であると判断した場合には、乗客乗車位置判定部２３において、表示装置２５から遠いと判断された乗客２７と表示装置２５との距離を判定し、この距離に基づいて、文字サイズ判定部２２が文字サイズを決定してもよい。このように、乗りかご１１内に複数の乗客２７がいる場合の文字判定の態様は、適宜選択することができる。
【実施例３】
【００３７】
本実施例では、乗りかご１１が出発階から目的階到着までの間（途中階）に、乗りかご１１が停止して新たな乗客が乗車した場合のエレベーターの情報表示システムの動作手順について説明する。図５は本発明に係るエレベーターの情報表示システムの動作の他の一例を示すフローチャートである。図５において、Ｓ１０１〜Ｓ１１０までの動作については、図４に示した手順と同様である。本実施例では、Ｓ２０１において、乗りかご１１が途中階で停止し、別の乗客が乗車した場合（図中「ＹＥＳ」）、Ｓ１０７において判定した走行時間をキャンセルし、コンテンツ選択部２１は、記憶部１９の中から最も短い文章のコンテンツを選択し（Ｓ２０２）、表示装置表示指令部２４は、コンテンツ選択部２１から送信されたコンテンツ２０を表示装置２５に表示するよう指令する（Ｓ２０３）。以降の動作は、図４と同様である。
【００３８】
本実施例では、途中階で乗客が乗車して、乗客ごとに走行時間が異なる場合であっても、乗りかご１１内の全ての乗客２７に対して、乗車中に読みきることが可能なコンテンツを提供することができる。
【００３９】
以上、説明したように、本発明によれば、乗客の客層の登録が不要で、かつ、乗客の乗りかご内での乗車位置にかかわらず、表示装置に表示された情報を乗客が乗りかごに乗車中に読みきることが可能なエレベーターの情報表示システムおよびエレベーターの情報表示方法を提供することができることが示された。
【００４０】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００４１】
例えば、図３に示すコンテンツの種類は一例であり、文章の長さ、動画の長さおよび文字サイズについて、より段階を細かくしていてもよい。また、記憶部に含まれるコンテンツの文字サイズは全て同じものとし、文字サイズ判定部２２で決定された文字サイズになるよう、制御部４内でコンテンツの文字サイズを調整してもよい。その他、乗客２７と表示装置２５との距離の算出については、実施例で説明したようにカメラを用いる方法であれば、乗りかご１１内にカメラ９が設置されているエレベーターにそのまま適用できる利点があるが、例えば乗りかご１１内に別途人感センサ―（赤外線センサ等）を設けて、所定の距離よりも乗客２７が前にいるか後ろにいるかを計測しても良いし、乗りかご１１内の負荷を量る秤装置を複数備え、乗りかご１１内の重さの分布から乗客２７と表示装置２５との距離を算出しても良いし、乗客２７が乗りかご１１内の装置と無線通信を行う利用状況が考えられる場合には、当該無線通信の電界強度から乗客２７の位置を推定しても良い。
【符号の説明】
【００４２】
１…昇降路、２…エレベーター運転制御装置、３…テールコード、４…かご上制御装置、５…主ロープ、６…釣合い錘、７…モーター、８…運転盤、９…かご内カメラ、１０…乗りかごドア、１１…乗りかご、１２，１２ａ，１２ｂ，１２ｃ，１２ｄ…乗り場ドア、１３，１３ａ，１３ｂ，１３ｃ，１３ｄ…乗り場呼び、１４，１４ａ，１４ｂ，１４ｃ，１４ｄ…着床レベル、１５…コンテンツ提供装置、１６…コンテンツ取得装置、１７…通信装置、１８…走行時間判定手段、１９…コンテンツ記録手段、２０…コンテンツ、２１…コンテンツ選択手段、２２…文字サイズ判定手段、２３…乗客乗車位置判定手段、２４…かご内表示装置表示指令部、２５…かご内表示装置、２６…かご呼び、２７…乗客、３０…情報表示装置、１００…エレベーター装置。
【図１】
0006483637.tif 000002
【図２】
0006483637.tif 000003
【図３】
0006483637.tif 000004
【図４】
0006483637.tif 000005
【図５】
0006483637.tif 000006